(57)【要約】      （修正有）【課題】その都度観察された心周期をより良好に規定する。【解決手段】少なくとも１つの焦点が検出器と共に患者の周りを移動させられ、少なくとも１つの焦点から出射するビームの減弱を表わす検出器の検出器出力データが、ビームの間接的または直接的な空間方位データと一緒に取得されて記憶され、心電図信号が取得されて記憶され、心臓の断層撮影画像を再構成するために、心周期の選択された周期範囲に由来する検出器データのみが使用され、少なくとも１つの心周期について、再構成のためのデータが由来する周期範囲の自動的にかつ周期ごとに個別に行われる選択がパターン認識によって行なわれ、再構成に使用される検出器データが由来する周期範囲を自動的に選択する前に、この範囲または隣の範囲における現在の心電図の典型的な信号経過が手動で決定され、引続いてこの典型的な信号経過の自動的な再認識が少なくとも１つの心周期において行なわれる。【選択図】図３
2005319295.tif 000002
【特許請求の範囲】
【請求項１】
拍動する心臓の走査のために、少なくとも１つの焦点が検出器と共に患者（７）の周りを移動させられ、
少なくとも１つの焦点から出射するビームの減弱を表わす検出器（３）の検出器出力データが、ビームの間接的または直接的な空間方位データと一緒に取得されて記憶され、
拍動する心臓の心電図（ＥＣＧ）信号が取得されて記憶され、
心臓の断層撮影画像を再構成するために、心周期の選択された周期範囲に由来する検出器データのみが使用され、
少なくとも１つの心周期について、再構成のためのデータが由来する周期範囲の自動的にかつ周期ごとに個別に行われる選択がパターン認識によって行なわれる
コンピュータ断層撮影装置（１）による患者の拍動する心臓の断層撮影画像の作成方法において、
再構成に使用される検出器データが由来する周期範囲を自動的に選択する前に、この範囲または隣の範囲における現在のＥＣＧの典型的な信号経過が手動で決定され、引続いてこの典型的な信号経過の自動的な再認識が少なくとも１つの心周期において行なわれ、再構成のための所望範囲の決定が典型的な信号経過に対応する
ことを特徴とする拍動する心臓の断層撮影画像の作成方法。
【請求項２】
典型的な信号経過としてＰ波（１１）の経過が使用されることを特徴とする請求項１記載の方法。
【請求項３】
ビジュアル表示されたＥＣＧにおいて１つの周期内に時間領域が手動でマークされ、その時間領域内にあるＥＣＧの経過がＰ波の典型的な信号経過（テンプレートＳp）として想定され、
引続いて典型的な信号経過Ｓpが、ＥＣＧの他の周期の信号経過Ｅpと、逐次時間的にずらされた畳み込みに相当する畳み込み関数Ｐl（ｔ）によって自動的に比較され、
畳み込み関数Ｐl（ｔ）の時間的経過において周期ごとに最大の極大点が求められ、それから各周期のＰ波の実際位置および各周期の心房の休止相の時間的終端が決定される
ことを特徴とする請求項２記載の方法。
【請求項４】
逐次時間的にずらされた畳み込みは、
【数１】
2005319295.tif 000005
の計算によって行なわれる
(但し、Ｎは次の数２によって表わされ、
【数２】
2005319295.tif 000006
ttsおよびtteは求めるべきパターンが推定される周期間隔の始端および終端、τは観察された時間間隔における積分変数、ｔは時間、plは観察された周期である）
ことを特徴とする請求項１乃至３の１つに記載の方法。
【請求項５】
畳み込み関数Ｐl（ｔ）は正規化されていることを特徴とする請求項３又は４記載の方法。
【請求項６】
再構成に使用されるデータが由来する周期範囲がＰ波（１１）の認識された範囲の前に存在することを特徴とする請求項２乃至５の１つに記載の方法。
【請求項７】
ＥＣＧ信号の経過の形状と予め与えられた形状との比較が神経ネットワークの適用によって行なわれることを特徴とする請求項１乃至６の１つに記載の方法。
【請求項８】
請求項１乃至７の１つによる方法によってＰ波位置が決定されない周期のために、観察された周期範囲が従来技術の方法によって決定されることを特徴とする請求項１乃至７の１つに記載の方法。
【発明の詳細な説明】
【技術分野】
【０００１】
本発明は、拍動する心臓の走査のために、少なくとも１つの焦点がこの焦点に対向する検出器（特に複数行検出器）と共に患者の周りを移動させられ、少なくとも１つの焦点から出射するビームの減弱を表わす検出器出力データが、ビームの間接的または直接的な空間方位データと一緒に取得され、場合によっては時間的に相関させられて記憶され、拍動する心臓の心電図（ＥＣＧ）信号が取得され、場合によっては時間的に相関させられて記憶され、心臓の断層撮影画像を再構成するために、心周期の選択された周期範囲のみに由来する検出器データのみが使用される、コンピュータ断層撮影装置（ＣＴ）による患者の拍動する心臓の断層撮影画像の作成方法に関する。
【背景技術】
【０００２】
この種の方法は一般に広く知られており、コンピュータ断層撮影方法に頻繁に使用されている。基本的には、このＥＣＧ同期式ＣＴ撮影方法の場合、一方では、観察された心臓または心臓範囲においてできるだけ動きがない時間区間でのみ心臓範囲の実際のスキャンを行ない、そのようにして得られたデータの全てをＣＴ断層画像の再構成に利用するために、心拍動、特にＥＣＧ信号を使用することができる。他方では一部において、患者を連続的にスキャンし、検出器データと同時に相関させて記録したＥＣＧとのデータ収集を行なった後に、存在するデータプールから、特定の周期時相のデータを持つ検出器データだけを選択し、後でのＣＴ断層画像の再構成に使用することも提案されている。
【０００３】
従来技術の両方法では、心周期の開始および終了が特徴的なＲ波により定められ、Ｒ波に対して相対的に後に続く観察された周期範囲がＲ波に対して絶対的な時間範囲または周期時間に対して相対的にパーセント時間範囲で決定されることによって、観察された周期時相が選択される。
【０００４】
この種の進行は確かに基本的には、ＥＣＧ同期でない通常の撮影に比べて拍動する心臓のＣＴ撮影の著しい改善を可能にする。しかしながら、公知のＥＣＧ同期方式の問題は、観察された心臓領域の実際の運動開始を決定して、画像作成のためにこの周期時相から信頼できるデータを推論するのではなく、寧ろ公知の識別方法がＥＣＧのＲ波に対応するだけであり、Ｒ波が本来的にその都度観察された周期時相の開始を示すものではないことにある。例えば右冠状動脈を鮮明に表示したいならば、右冠状動脈の運動が心房の運動の影響を受けていることを考慮しなければならない。
【０００５】
心臓周期ごとに個々にデータ収集のための最も好ましい時相範囲を決定することも公知であり、Ｒピーク情報および患者の心拍数のほかにＥＣＧ信号の形状および時間間隔に関する統計的な情報を使用することが提案されている（特許文献１参照）。しかしながら、この方法は専ら統計的なデータを使用し、心拍数を除けばその都度の現在の患者による個々の特性を考慮していない。
【特許文献１】米国特許出願公開第２００４／００１９２７５号明細書
【発明の開示】
【発明が解決しようとする課題】
【０００６】
本発明の課題はその都度観察された心周期をより良好に規定する、拍動する心臓の断層撮影画像の作成方法を提供することにある。
【課題を解決するための手段】
【０００７】
本発明の課題は、請求項１の特徴事項によって解決される。この方法の好ましい実施態様は従属請求項および以下の説明において示されている。
【０００８】
本発明者は、Ｒ波の位置に対応する従来の固定的な時間スリット方式の代わりに、あるいは多数の患者情報に関するその他の統計的な評価を使用する代わりに、現在のＥＣＧの手動決定された時相区間に基づいて個々の心周期の重要なＥＣＧ信号経過の自動識別が行なわれるならば、ＥＣＧ同期式心臓撮影の改善が可能であることを認識した。
【０００９】
従来では、心周期の探索もしくは観察された範囲は、Ｒ波に対して相対的な心周期の絶対的またはパーセント割合で規定された時間区間にあるということから出発している。そして、場合によっては、統計的なデータによって性別、年齢、医学的な事情、あるいは患者病歴の影響も考慮された。患者個人の影響、または例えば患者における電極配置のような現在の測定の特性による影響は考慮されなかった。
【００１０】
本発明によれば、周期ごとに周期範囲の自動的かつ個別的な選択は、検出器出力データが断層画像の再構成に使用される所望の周期範囲を周期ごとに個々に位置決めするために、患者の現在のＥＣＧから手動で現在のＰ波経過がマークされ、この手動で選択されたＥＣＧ形状に関して各心周期のＥＣＧ信号経過が調べられ、この形状の再発生の最も起こりそうな時点がパターン認識により決定されることによって行なわれる。パターン認識の種類に関してはパターン認識が少なくとも半自動のコンピュータ支援にて、個々の各心周期が手動で評価されなければならないことがないように経過することが重要である。例えばＰ波の典型的な目印がＥＣＧ信号の実際の経過と比較され、最もよく一致するときの時間的位置が求められるとよい。この時間的位置が決まっていると心房興奮の開始は非常に正確に規定され、周期中において時間的にこの時相の前にある検出器データのみを再構成に使用することができる。
【００１１】
手動の選択を支援するためには、ＣＴ評価に利用すべき周期範囲を求めるための本発明の意味に沿って、一般にＥＣＧの自動評価の場合に存在するような既に公知のＥＣＧ解析方法を使用するとよい。
【００１２】
この基本思想に従って、本発明者は、拍動する心臓の走査のために、少なくとも１つの焦点がこの焦点に対向する検出器（特に複数行検出器）と共に患者の周りを移動させられ、少なくとも１つの焦点から出射するビームの減弱を表わす検出器出力データが、ビームの間接的または直接的な空間方位データと一緒に取得され、場合によっては時間的に相関させられて記憶され、拍動する心臓の心電図（ＥＣＧ）信号が取得され、場合によっては時間的に相関させられて記憶され、心臓の断層撮影画像を再構成するために、心周期の選択された周期範囲に由来する検出器データのみが使用され、少なくとも１つの心周期について、再構成のためのデータが由来する周期範囲の自動的にかつ周期ごとに個別に行われる選択がパターン認識によって行なわれる、コンピュータ断層撮影装置による患者の拍動する心臓の断層撮影画像の公知の作成方法を改善することを提案する。この公知の方法の本発明による改善は、少なくとも１つの心周期について、再構成のためのデータが由来する周期範囲の自動的にかつ周期ごとに個別に行われる選択がパターン認識によって行なわれ、再構成に使用される検出器データが由来する周期範囲を自動的に選択する前に、この範囲または隣の範囲における現在のＥＣＧの典型的な信号経過が手動で決定され、引続いてこの典型的な信号経過の自動的な再認識が少なくとも１つの心周期において行なわれ、再構成のための所望範囲の決定が典型的な信号経過に対応するようにすることにある。
【００１３】
個々の各心周期のこの種の個別観察およびそれから生じるコンピュータ断層撮影の画像再構成のための利用可能な周期範囲の著しく正確な決定は、得られたＣＴ画像が従来技術に比べて少ないアーチファクトおよび不鮮明度を持つという有利な結果をもたらす。
【００１４】
基準周期における観察すべき周期範囲の手動選択は、画面またはその他の適切な表示装置での相応の周期範囲のビジュアル認識によって行なわれるとよい。この典型的な信号経過の選択は、後で他の周期内の範囲の自動決定が行なわれる患者の同じＥＣＧおよび同じ測定から行なわれるべきである。なぜならば、これによって、電極の異なる配置またはその他の測定技術上の偏差により起こり得る変化が回避されるからである。
【００１５】
本発明による方法に従って、典型的な信号経過としてＰ波の経過が使用されると特に好ましい。なぜならば、Ｐ波の開始は心房の興奮の開始であるので、それにより、認識された典型的な範囲の開始が同時に１周期内の時間的スキャン範囲の時間的終端として規定されるからである。
【００１６】
例えば本発明による方法は次のステップで行なわれる。
ビジュアル表示されたＥＣＧにおいて１つの周期内に時間領域が手動でマークされ、その時間領域内にあるＥＣＧの経過がＰ波（＝テンプレート）の典型的な信号経過Ｓpとして想定され、
引続いて典型的な信号経過ＳpとＥＣＧの他の周期の信号経過Ｅpとが逐次時間的にずらされた畳み込みに相当する畳み込み関数Ｐl（ｔ）によって自動的に比較され、特に逐次時間的にずらされた畳み込みは
【数３】
2005319295.tif 000003
の計算によって行なわれ、
（但し、Ｎは次の数４によって表わされ、
【数４】
2005319295.tif 000004
ttsおよびtteは求めるべきパターンが推定される周期間隔の始端および終端、τは観察された時間間隔における積分変数、ｔは時間、p1は観察された周期である）
畳み込み関数、特に正規化された畳み込み関数Ｐl（ｔ）の時間的経過において周期ごとに最大の極大点が求められ、それから各周期のＰ波の実際位置および各周期の心房の休止相の時間的終端が決定され、
ＣＴ画像データの再構成のために休止相のそのようにして決定された時間的終端の前における１周期のデータだけが使用される。
【００１７】
上述の例において畳み込み関数Ｐl（ｔ）の正規化は基本的には好ましいことであるが、本発明の意味においては必ずしも必要ではない。この種の正規化が行なわれる場合、観察された心周期の信号経過において典型的な信号経過に一致する信号経過を高信頼性にて実際に見つけ出すために到達されなければならない畳み込み関数の最小値が特に簡単に定められる。従って、閾値を指定または規定し、この閾値が典型的な信号経過とＥＣＧの現在の信号経過との比較の際に到達されない場合に、他の認識方法に移行させるか、または再構成のために十分な余剰があればこの周期の処理を止めさせることができる。
【００１８】
本発明による方法のために使用可能なパターン認識方法に関しては、例えば、基本的にはＥＣＧ解析アルゴリズムにおいて知られているようなウェーブレット変換の原理を参照されたい。もちろん予め与えられる形状を神経ネットワークの適用によってその都度の心周期において再び見つけ出すこともできる。
【００１９】
もちろん、本発明は本発明による方法のみならずコンピュータ断層撮影装置内での本発明による方法の使用にも及び、本発明による方法は特に相応のプログラムまたはプログラムモジュールによって実現できる。
【発明を実施するための最良の形態】
【００２０】
以下において本発明を図面を参照しながら実施例に基づいて更に詳細に説明する。
図１は本発明による方法を実施するためのＣＴを示し、
図２は典型的なＥＣＧの理想的な信号経過を示し、
図３はＥＣＧにおけるＰ波の自動パターン認識の概略を示し、
図４はパターン比較における畳み込み関数の時間経過を示す。
【００２１】
図においては次の符号が使用されている。１はコンピュータ断層撮影装置、２はＸ線管、３は検出器、４はシステム軸線もしくはｚ軸、５はハウジング、６は患者寝台、７は患者、８は測定線、９は計算ユニット、９．１は画面、９．２は入力ユニット、１０はデータおよび制御線、１１はＰ波、１２はＱ波、１３はＲ波、１４はＳ波、１５はＱＲＳ群、１６はＴ波、１７はＵ波、１８はＰＱ時間、１９はＳＴ区間、２０はＱＴ期間、２１は間隔、２２はＥＣＧ信号経過、２３は実際の信号経過範囲、２４は典型的な信号経過範囲、２５はグラフ、２６は最大、Ｐ1〜Ｐnはプログラム、ＴRRは心拍数、τは時間インターバルの時間、τmaxは最大一致の時点である。
【００２２】
図１は、Ｘ線管２とこのＸ線管２に対向する検出器３とを有するコンピュータ断層撮影装置１の３Ｄ表示を示し、Ｘ線管２および検出器３は図示されていない回転枠に固定され、システム軸線またはｚ軸４を中心に回転可能に構成されている。患者７は、ｚ軸４に沿って移動可能な患者寝台６上に横たわっており、Ｘ線管２および検出器３がシステム軸線４の周りを回転する間に、システム軸線４に沿ってコンピュータ断層撮影装置のハウジング５の開口内に押し込まれ、その結果Ｘ線管２および検出器３は患者に対して相対的にこの患者の周りにおけるスパイラル軌道上を移動し、その際に走査が行なわれる。
【００２３】
基本的には走査の他の変形も可能であることに注目すべき。例えば、Ｘ線管２および検出器３が円状に患者７の周りを移動され、完全な円状の走査後にシステム軸線４に沿った患者の非連続な送りが行なわれ、その後患者または少なくとも観察された検査範囲が完全に走査されるまで再び円状の走査が行なわれることによって、順次走査が行なわれる。多数の検出器行を備えた、すなわちｚ軸方向に大きな広がりを有する検出器が使用される場合、少なくともここで特別に観察された心臓範囲を検出器の１回転だけで完全に走査することもできる。スパイラル状のまたは順次の円形走査および単一行ないしは複数行の検出器を有する既述の全ての変形例が本発明による方法に関係して使用することができる。
【００２４】
Ｘ線による患者の走査に付加して患者の心臓活動が詳しくは示されていない電極および測定線８を通してＥＣＧで取得される。このＥＣＧは、本例においては、同時にコンピュータ断層撮影装置も制御する計算ユニット９内にある。計算ユニット９は、コンピュータ断層撮影装置の制御およびＥＣＧ取得のほかに、検出器出力データの評価および場合によっては検出器出力データの記憶のためにも使われ、それはデータおよび制御線１０を介して行なわれる。更に、計算ユニット９は断層撮影画像の再構成を行なうために使用することができる。このために模式的に示されたプログラムＰ1〜Ｐnが用いられ、結果を計算ユニット９内に組み込まれた画面９．１に表示することができる。コンピュータ断層撮影装置を操作するためのデータ入力のために、例えばキーボードおよび／またはここでは明示されていないマウスの形での入力ユニット９．２を用いることができる。
【００２５】
本発明のより良き理解のために、図２には典型的且つ理想的なＥＣＧが示されている。ここでは横軸に時間ｔが秒［ｓ］で記入され、縦軸に検出電位ＵがｍＶで記入されている。典型的なＥＣＧは時間軸上の電圧高さおよび深さの特徴的な信号経過によって特色付けられ、心臓の刺激伝導状態、興奮状態および運動状態に関する情報を与える。次に典型的な信号形状を参照符号に基づいて説明する。
【００２６】
１１はＰ波である。Ｐ波は、零ラインに対して特徴的に最初の小さな正の半円形波である。Ｐ波は心房の興奮である。
【００２７】
１２はＱ波である。Ｑ波は一般に小さく、すなわち幅広くもなく深くもなく、Ｐ波の後に生じる最初の負の波であり、ＰＱ時間の終端をなす。
【００２８】
１３はＲ波である。Ｒ波はいつも狭く高い。Ｒ波はＱ波の後に生じる最初の正の波もしくはＱ波が欠けるべき場合にはＰ波の後に生じる最初の正の波である。Ｒ波は心室興奮の象徴である。
【００２９】
１４はＳ波である。Ｓ波はふつうＱ波に似て小さい。Ｓ波はＲ波の後に生じる最初の負の波であり、同様に心室興奮の一部である。
【００３０】
１５はＱＲＳ群である。ＱＲＳ群は心室の興奮伝播すなわち脱分極と呼ばれる。心室の脱分極に並行して心房の再分極が始まるが、しかしこの電圧パルスはＱＲＳ群において消える。
【００３１】
１６はＴ波である。Ｔ波は比較的幅広くて大きくしかも半円形であり、ＱＲＳ群の後に生じる最初の正の振れである。Ｔ波は心室の興奮消退、すなわち再分極に相当する。Ｔ波の終了後に電気的心臓動作が終了する。定まった休止の後に次の周期が生じる。心拍数が大きいほど、この間隔は短い。
【００３２】
１７はＵ波である。Ｕ波は非常に小さく、正で、Ｔ波に似た半円形波であり、いつもは見えない。Ｕ波は心室興奮消退の後揺れに相当する。ＥＣＧにおける個々の波のほかに、解釈のためには更に、波間の時間が重要である。
【００３３】
１８はＰＱ時間である。ＰＱ時間（ＰＱ区間）はＰ波の始端からＱ波の始端まで、もしくは（Ｑ波が欠けている場合には）Ｒ波の始端まで続く。ＰＱ時間は房室伝導時間、すなわち心房から心室までの興奮伝導時間である。
【００３４】
１９はＳＴ区間である。ＳＴ時間（ＳＴ区間）はＳ波の終端または（Ｓ波が欠けている場合には）Ｒ波の終端からＴ波の始端まで続く。ＳＴ時間は心室の興奮消退の開始を指し示す。
【００３５】
２０はＱＴ期間である。ＱＴ時間（ＱＴ区間）はＱＲＳ群、ＳＴ区間およびＴ波を含む。心室の興奮伝播の始端から興奮消退の終端までの時間は電気的心室収縮期間に相当する。
【００３６】
心拍数ＴRRはＥＣＧにおける２つのＲ波１３間の間隔２１によって決定される。
【００３７】
ＥＣＧの表示された全ての個別部分の時間的な位置は、時間軸上の典型的な電圧経過すなわち典型的な形状と実際のＥＣＧ経過との比較によって定められ得る。もちろん、病変がある場合にはＥＣＧ信号の形状においてもそれ相応に考慮されなければならない変化が生じることに注意すべきである。特にこの場合に、観察された周期時相についての信号経過として一般的な標準を利用するのではなく、検査された患者のＥＣＧ信号から、すなわちできるだけ同じＥＣＧからできるだけ典型的な例を利用すると好ましい。なぜならば、これによって観察された心臓の特別の興奮伝導状態に関する相違が考慮されるだけでなく、患者への電極の取付けにおける相違も考慮されるからである。
【００３８】
ＥＣＧの理想化された状態を表わす図２の信号経過と異なり、図３には、心臓ＣＴの同期化に使用されるような患者の実際のＥＣＧ信号経過２２の一例が示されている。信号経過は、４つのＲ波１３と、検査された心臓の相応の３つの完全な周期すなわち心周期とを示している。４つのＲ波１３の前にそれぞれ、範囲２３が斜線を施され、これらの範囲２３では、ＥＣＧ信号と後続または先行のＲ波からの間隔との時間的な観察に基づいて、そこにＰ波が存在することを想定することができる。範囲２４には相応の患者の典型的なＰ波が示され、これはその前の周期に由来し、操作者によって典型的なＰ波として選択されたものであり、今やＰ波の正確な位置決定のために現在の心周期において使用される。このために、典型的な信号経過２４は範囲２３の上方をシフトされてゆき、実際の信号経過と典型的な信号経過との個々の信号値が互いに掛算され、現在の信号経過に対する典型的な信号経過のシフトの各時点τで両信号の掛算値の総計が計算される。
【００３９】
図４はこのような畳み込み関数Ｐl（ｔ）の経過を示し、これは典型的な信号経過と実際の信号経過との間のその都度の時間的シフトτにわたって描かれている。τに依存した畳み込み関数Ｐl（ｔ）の値を示すグラフ２５において、その値は、典型的な信号経過２４がＰ波の実際の信号経過２３と十分に一致するや否や最大に達することが分かる。畳み込み関数Ｐl（ｔ）は正規化されているので、これは、両信号経過の完全な一致が達せられたときに値１に達する。図示された最大点２６は時点τmaxを再現する。この時点では両信号経過の最適な一致が生じ、それによって観察された心周期において探索された典型的な信号経過（ここではＰ波）の実際位置が決まる。この時点τmaxに基づいて、今や心周期におけるＰ波またはその他の典型的な信号経過の正確な位置が示されるので、これによって、どの時点でもしくはどの周期範囲において得られたＣＴデータを再構成に使用することができるかをきめ細かく決定することができる。
【００４０】
本発明の上述の特徴はその都度述べた組合せのみならず、本発明の枠を逸脱することなく他の組合せまたは単独で使用可能である。
【００４１】
以上のとおり、本発明は、拍動する心臓のＥＣＧ信号が取得され、心臓の断層撮影画像を再構成するために、心周期の選択された周期範囲に由来する検出器データのみが使用され、少なくとも１つの心周期について、再構成のためのデータが由来する周期範囲の自動的にかつ周期ごとに個別に行われる選択がパターン認識によって行なわれる、コンピュータ断層撮影装置による患者の拍動する心臓の断層撮影画像の作成方法を開示する。従って、本発明により、心時相の典型的なＥＣＧパターンとＣＴスキャンにおける患者の現在のＥＣＧとの比較によって、予め与えられた心時相の時間的決定が従来技術比べて著しく改善され、それによりＣＴ撮影のＥＣＧ同期再構成の改善が達成される。
【図面の簡単な説明】
【００４２】
【図１】本発明による方法を実施するためのＣＴを示す概略図
【図２】典型的なＥＣＧの理想的な信号経過を示すタイムチャート
【図３】ＥＣＧにおけるＰ波の自動パターン認識の概略を示すタイムチャート
【図４】パターン比較における畳み込み関数の時間経過例を示すタイムチャート
【符号の説明】
【００４３】
１            コンピュータ断層撮影装置
２            Ｘ線管
３            検出器
４            システム軸線もしくｚ軸
５            ハウジング
６            患者寝台
７            患者
８            測定線
９            計算ユニット
９．１        画面
９．２        入力ユニット
１０          データおよび制御線
１１          Ｐ波
１２          Ｑ波
１３          Ｒ波
１４          Ｓ波
１５          ＱＲＳ群
１６          Ｔ波
１７          Ｕ波
１８          ＰＱ時間
１９          ＳＴ区間
２０          ＱＴ期間
２１          間隔
２２          ＥＣＧ信号経過
２３          実際の信号経過範囲
２４          典型的な信号経過範囲
２５          グラフ
２６          最大
Ｐ1−Ｐn      プログラム
ＴRR          心拍数
τ            時間インターバルの時間
τmax        最大一致の時点
【図１】
2005319295.tif 000007
【図２】
2005319295.tif 000008
【図３】
2005319295.tif 000009
【図４】
2005319295.tif 000010